(57)【要約】【課題】取得された場所、および取得された日時で、利用するセンシングデータの指定が行える情報管理装置を提供する。【解決手段】センシングデータ記憶ＤＢ１６が、ネットワーク５を介して接続された情報提供装置２から送信されてきたセンシングデータを記憶する。このセンシングデータ記憶ＤＢ１６は、センシングデータを、そのセンシングデータが取得された取得場所と、取得日時とを関連づけて記憶する。制御部１１は、ネットワーク５を介して接続された情報利用装置３からのセンシングデータの利用要求に応じて、センシングデータ記憶ＤＢ１６に記憶しているセンシングデータを検索する。このとき、制御部１１は、情報利用装置３からの利用要求に含まれる、センシングデータの取得場所と取得日時とを用いて、センシングデータ記憶ＤＢ１６に記憶しているセンシングデータを検索する。【選択図】図２
2013171482.tif 000002
【特許請求の範囲】
【請求項１】
ネットワークを介して接続された情報提供装置から送信されてきたセンシングデータを記憶するセンシングデータ記憶部と、
前記ネットワークを介して接続された情報利用装置からのセンシングデータの利用要求に応じて、前記センシングデータ記憶部に記憶しているセンシングデータを検索するセンシングデータ検索部と、
前記センシングデータ検索部により検索されたセンシングデータを前記情報利用装置に送信する送信部と、を備え、
前記センシングデータ記憶部は、センシングデータを、そのセンシングデータが取得された取得場所と、取得日時とを関連づけて記憶し、
前記センシングデータ検索部は、前記情報利用装置からの利用要求に含まれる、センシングデータの取得場所と取得日時とを用いて、前記センシングデータ記憶部に記憶しているセンシングデータを検索する、情報管理装置。
【請求項２】
前記センシングデータ検索部は、取得日時が、前記情報利用装置からの利用要求に含まれているセンシングデータの取得日時を示す起点日時と、終点日時との間であるセンシングデータを検索する、請求項１に記載の情報管理装置。
【請求項３】
前記情報利用装置からの利用要求に含まれるセンシングデータの取得日時と取得場所とを基準にし、前記センシングデータ検索部により検索されたセンシングデータについて、そのセンシングデータが取得された日時と場所とを示す２次元表示にかかるセンシングデータの候補選択画面を表示させる画面表示データを作成する候補選択画面作成部を備え、
前記送信部は、前記候補選択画面作成部が作成した候補選択画面を表示させる画面表示データを前記情報利用装置に送信する、請求項１、または２に記載の情報管理装置。
【請求項４】
前記センシングデータ検索部が前記情報利用装置からの利用要求に応じたセンシングデータを検索することができなかったとき、前記情報提供装置に対するセンシングデータの送信要求を行うセンシングデータ要求部を備えた、請求項１〜３のいずれかに記載の情報管理装置。
【請求項５】
前記センシングデータ検索部が前記情報利用装置からの利用要求に応じたセンシングデータを検索することができなかったとき、前記情報提供装置から送信されてきたセンシングデータの取得場所、および取得日時の履歴に基づき、センシングデータの送信要求を行う前記情報提供装置を抽出する抽出部を備え、
前記センシングデータ要求部は、前記抽出部が抽出した前記情報提供装置に対するセンシングデータの送信要求を行う、請求項４に記載の情報管理装置。
【請求項６】
ネットワークを介して接続された情報利用装置からのセンシングデータの利用要求に応じて、前記ネットワークを介して接続された情報提供装置から送信されてきたセンシングデータを記憶しているセンシングデータ記憶部を検索するセンシングデータ検索処理と、
前記センシングデータ検索処理により検索されたセンシングデータを前記情報利用装置に送信する送信処理と、をコンピュータに実行させる情報管理プログラムであって、
前記センシングデータ記憶部は、センシングデータを、そのセンシングデータが取得された取得場所と、取得日時とを関連づけて記憶し、
前記センシングデータ検索処理は、前記情報利用装置からの利用要求に含まれる、センシングデータの取得場所と取得日時とを用いて、前記センシングデータ記憶部に記憶しているセンシングデータを検索する、情報管理プログラム。
【請求項７】
ネットワークを介して接続された情報利用装置からのセンシングデータの利用要求に応じて、前記ネットワークを介して接続された情報提供装置から送信されてきたセンシングデータを記憶しているセンシングデータ記憶部を検索するセンシングデータ検索処理と、
前記センシングデータ検索処理により検索されたセンシングデータを前記情報利用装置に送信する送信処理と、をコンピュータが実行する情報管理方法であって、
前記センシングデータ記憶部は、センシングデータを、そのセンシングデータが取得された取得場所と、取得日時とを関連づけて記憶し、
前記センシングデータ検索処理は、前記情報利用装置からの利用要求に含まれる、センシングデータの取得場所と取得日時とを用いて、前記センシングデータ記憶部に記憶しているセンシングデータを検索する、情報管理方法。
【発明の詳細な説明】
【技術分野】
【０００１】
この発明は、情報提供装置からセンシングデータの提供を受け、情報利用装置からの利用要求に応じてセンシングデータを送信する情報管理装置、情報管理プログラム、および情報管理方法に関する。
【背景技術】
【０００２】
従来、情報提供装置がセンサで取得したセンシングデータ（情報）を情報管理装置（センタ）にアップロードし、情報利用装置が情報管理装置からセンシングデータ（情報提供装置がアップロードしたセンシングデータ）をダウンロードして利用するシステムがある（例えば、特許文献１参照）。
【０００３】
また、特許文献２には、以下に示す技術が記載されている。
【０００４】
対象物に取り付けた各センサで計測した計測データと当該計測データの時刻情報とを組としてセンサデータベース（センサＤＢ）に記憶する。また、対象物に関する事象を示す単語と、当該単語が属するグループを示す事象記述子と、計測データを用いた式で表現した当該事象の物理量表現と、の対応関係を事象記述子辞書に記憶しておく。そして、自然言語で入力された質問情報から検索対象となる事象を示す述語を抽出して事象記述子辞書から当該述語に対応する事象記述子を検索する。データ検索部が、検索した事象記述子と対応する物理量表現に該当する計測データをセンサＤＢから検索し、これを検索結果情報として出力する。
【先行技術文献】
【特許文献】
【０００５】
【特許文献１】特開２００５−３２１９３４号公報
【特許文献２】特開２００７−３０４６９２号公報
【発明の概要】
【発明が解決しようとする課題】
【０００６】
しかしながら、利用者は様々な理由でセンシングデータを利用する。例えば、週末に、ある場所に観光に行く予定を計画している利用者の場合、その観光先の混雑具合等を確認するために、ＤＢに記録されているその観光先の撮像画像（センシングデータ）をダウンロードして利用することがある。この場合、利用者が利用したいセンシングデータは、観光先の撮像画像であれば、取得された日時についてはいつでもよいというものではなく、週末に取得された観光先の撮像画像である。特に、利用者が観光先に滞在する時刻における週末の観光先の撮像画像である。
【０００７】
このようなことから、センシングデータを利用する利用者から、そのセンシングデータが取得された場所だけでなく、取得された日時の指定が行えるようにしたいという要望がある。
【０００８】
この発明の目的は、取得された場所、および取得された日時で、利用するセンシングデータの指定が行える情報管理装置、情報管理プログラム、および情報管理方法を提供することにある。
【課題を解決するための手段】
【０００９】
この発明の情報管理装置は、上記課題を解決し、その目的を達するために、以下のように構成している。
【００１０】
センシングデータ記憶部が、ネットワークを介して接続された情報提供装置から送信されてきたセンシングデータを記憶する。このセンシングデータ記憶部は、センシングデータを、そのセンシングデータが取得された取得場所と、取得日時とを関連づけて記憶する。
【００１１】
また、センシングデータ検索部が、ネットワークを介して接続された情報利用装置からのセンシングデータの利用要求に応じて、センシングデータ記憶部に記憶しているセンシングデータを検索する。このセンシングデータ検索部は、情報利用装置からの利用要求に含まれる、センシングデータの取得場所と取得日時とを用いて、センシングデータ記憶部に記憶しているセンシングデータを検索する。すなわち、利用者は、取得された場所、および取得された日時で、利用するセンシングデータの指定が行える。
【００１２】
そして、送信部が、センシングデータ検索部により検索されたセンシングデータを情報利用装置に送信する。
【００１３】
したがって、利用者は、取得場所だけでなく、取得日時について希望するセンシングデータを利用することができる。これにより、利用者の利便性の向上が図れる。
【００１４】
また、取得日時は、起点日時、および終点日時の２つの時間で指定するようにすればよい。この場合、センシングデータ検索部は、起点日時と、終点日時との間において、取得されたセンシングデータを検索する構成にすればよい。
【００１５】
また、情報利用装置からの利用要求に含まれるセンシングデータの取得日時と取得場所とを基準にし、センシングデータ検索部により検索されたセンシングデータについて、そのセンシングデータが取得された日時と場所とを示す２次元表示にかかるセンシングデータの候補選択画面を表示させる画面表示データを作成する候補選択画面作成部を設けてもよい。この場合、送信部が、この候補選択画面作成部が作成した候補選択画面を表示させる画面表示データを情報利用装置に送信する構成とすればよい。
【００１６】
このように構成すれば、利用者は、情報利用装置において表示された候補選択画面を確認することで、センシングデータの取得時間と取得場所とが視覚的に判断できる。
【００１７】
また、検索部が前記情報利用装置からの利用要求に応じたセンシングデータを検索することができなかったとき、情報提供装置に対するセンシングデータの送信要求を行うセンシングデータ要求部を追加的に備えてもよい。
【００１８】
また、センシングデータ要求部を備えるときには、情報提供装置から送信されてきたセンシングデータの取得場所、および取得日時の履歴に基づき、センシングデータの送信要求を行う情報提供装置を抽出する抽出部を備えるのが好ましい。これにより、情報利用装置から、要求されているセンシングデータを取得できる可能性が高い情報提供装置に絞って、センシングデータの送信要求を行うことができる。
【発明の効果】
【００１９】
この発明によれば、取得された場所、および取得された日時で、利用するセンシングデータの指定が行えるので、センシングデータを利用する利用者の利便性の向上が図れる。
【図面の簡単な説明】
【００２０】
【図１】ネットワークシステムの概略構成を示すブロック図である。
【図２】情報管理装置の主要部の構成を示すブロック図である。
【図３】センシングデータ記憶ＤＢに記憶されるセンシングデータのデータ構造を説明する図である。
【図４】情報管理装置の機能構成を示す概略のブロック図である。
【図５】情報提供装置から提供されたセンシングデータの受信処理を示すフローチャートである。
【図６】情報利用装置に対するセンシングデータの提供処理を示すフローチャートである。
【図７】情報利用装置に対するセンシングデータの提供処理を示すフローチャートである。
【図８】情報利用装置におけるセンシングデータの取得条件指定画面の例を示す図である。
【図９】情報利用装置におけるセンシングデータの候補選択画面例を示す図である。
【図１０】情報利用装置におけるセンシングデータ表示画面例を示す図である。
【図１１】別の例にかかる情報利用装置におけるセンシングデータの候補選択画面例を示す図である。
【図１２】別の例にかかる情報利用装置におけるセンシングデータの候補選択画面例を示す図である。
【発明を実施するための形態】
【００２１】
以下、この発明の実施形態である情報管理装置について説明する。
【００２２】
図１は、この発明の実施形態である情報管理装置を用いたネットワークシステムの概略構成を示すブロック図である。このネットワークシステムは、情報管理装置１と、複数の情報提供装置２と、複数の情報利用装置３と、を備えている。情報管理装置１、情報提供装置２、および情報利用装置３は、ネットワーク５を介して通信可能に接続している。
【００２３】
情報提供装置２は、特定の種類の装置ではなく、例えば監視カメラ、自動改札機、空調管理装置であり、画像、改札通過人数、温度、湿度、照度等、何らかの情報（センシングデータ）を取得（センシング）する１つ以上のセンサ（画像センサ、乗車券読取センサ、温度センサ、湿度センサ、照度センサ等）を有する機器である。また、情報提供装置２は、設置位置に固定されている装置（固定装置と言う。）に限らず、携帯電話等のカメラ付携帯端末であってもよい。また、情報提供装置２は、情報管理装置１に提供するセンシングデータを用いて予め設定されている処理を実行する構成であってもよいし、そのセンシングデータについては自装置で利用しない構成であってもよい。情報提供装置２は、少なくとも、センサで取得したセンシングデータを情報管理装置１に提供（アップロード）する構成を備えていればよい。
【００２４】
情報利用装置３は、情報提供装置２が提供するセンシングデータを利用する利用者が保有するパソコンや携帯電話等の情報処理装置である。情報利用装置３は、情報提供装置２が情報管理装置１に提供したセンシングデータの利用を情報管理装置１に要求する。情報利用装置３は、この要求（利用要求）に応じた情報管理装置１から送信されてきたセンシングデータを受信（ダウンロード）する。情報利用装置３には、情報提供装置２が提供するセンシングデータを利用するためのアプリケーションプログラム（以下、単にアプリと言う。）がインストールされている。
【００２５】
情報管理装置１は、情報提供装置２から提供されたセンシングデータを管理する。また、情報管理装置１は、情報利用装置３からのセンシングデータの利用要求に応じて、センシングデータを情報利用装置３に提供する。すなわち、情報管理装置１は、センシングデータを提供する情報提供装置２と、提供されるセンシングデータを利用する情報利用装置３との間でセンシングデータの管理や中継を行う。
【００２６】
図２は、情報管理装置の主要部の構成を示すブロック図である。
【００２７】
情報管理装置１は、制御部１１と、通信部１２と、地図データベース１３（地図ＤＢ１３）と、提供者管理データベース１４（提供者管理ＤＢ１４）と、位置管理データベース１５（位置管理ＤＢ１５）と、センシングデータ記憶データベース１６（センシングデータ記憶ＤＢ１６）と、を備えている。
【００２８】
制御部１１は、情報管理装置１本体各部の動作を制御する。この制御部１１の機能構成については、後述する。
【００２９】
通信部１２は、情報提供装置２や情報利用装置３との間における通信を制御するとともに、情報提供装置２を運用／管理している者（以下、提供者と言う。）に対する電子メールの送信を制御する。この通信部１２が、この発明で言う送信部、およびセンシングデータ要求部を有する。
【００３０】
地図ＤＢ１３は、公知の地図データを登録したデータベースである。ここでは、詳細な説明を省略する。
【００３１】
提供者管理ＤＢ１４は、少なくとも、情報提供装置２のＩＤと、提供者のＩＤと、提供者の連絡先と、を対応付けて登録したデータベースである。提供者の連絡先は、電子メー利アドレスである。
【００３２】
位置管理ＤＢ１５は、各情報提供装置２について、その情報提供装置２のＩＤと、この情報提供装置２が提供したセンシングデータ毎に、そのセンシングデータの取得場所、および取得日時を対応付けた位置管理情報を蓄積的に登録するデータベースである。すなわち、位置管理ＤＢ１５には、情報提供装置２によるセンシングデータの提供履歴（取得場所、および取得日時）が登録されている。
【００３３】
センシングデータ記憶データベース１６は、情報提供装置２から提供されたセンシングデータを蓄積的に記憶するデータベースである。情報提供装置２は、情報管理装置１に対して、提供するセンシングデータとともに、自装置のＩＤ、センシングデータの種類（画像、通過人数、温度、湿度、照度等）、取得場所、取得日時等を送信している。取得場所は、センシングデータを取得したセンシングエリアの中心の緯度、経度、高度、および、このセンシングエリアの大きさである。センシングエリアの大きさは、センシングエリアの中心からの半径等であらわされる。取得日時は、センシングデータを取得した日時、すなわちセンサがセンシングエリアをセンシングした日時である。また、後述するセンシングデータの精度については、提供するセンシングデータとともに送信してもよいし、提供者管理ＤＢ１６に予め登録しておいてもよい。センシングデータの精度は、センシングデータを取得するセンサの仕様に基づくものである。
【００３４】
なお、情報提供装置２が固定されている装置（センシングエリアが固定されている装置）であれば、取得場所は予め設定しておけばよい。一方、情報提供装置２が、携帯電話等のカメラ付携帯端末の場合には、その携帯端末に付加されているＧＰＳ（Global Positioning System）機能で端末本体の位置を検知するとともに、この携帯端末に付加されているジャイロ機能により検知した端末本体の傾き、および撮像倍率（焦点距離）等を用いて、センシングデータの取得場所を算出する構成にしておけばよい。
【００３５】
ここで、センシングデータ記憶ＤＢ１６に記憶されるセンシングデータのデータ構造について説明する。図３は、センシングデータ記憶ＤＢに記憶するセンシングデータのデータ構造を説明する図である。ここでは、公知のＸＭＬによるデータ構造表記方法で説明する。
【００３６】
センシングデータ記憶ＤＢに記憶されるセンシングデータのデータ構造を図３（Ａ）に示す。＜＞で囲んだ記号列は、データ項目の名称を示している。また、
＜センシングデータＩＤ＞ＩＤ０＜／センシングデータＩＤ＞
は、名称がセンシングデータＩＤであり、そのセンシングデータＩＤの値がＩＤ０であることを示している。ＩＤ０は、センシングデータの識別コードである。また、図３（Ａ）において示す、
＜センシングデータ＞Ｓ＿ＤＡＴＡ＜／センシングデータ＞
は、ＩＤ０のセンシングデータが、Ｓ＿ＤＡＴＡであることを示している。
【００３７】
Ｓ＿ＤＡＴＡは、図３（Ｂ）に示すデータによって構成される。すなわち、Ｓ＿ＤＡＴＡは、センシング対象位置（Ｓ＿ＰＯＳＩＴＩＯＮ）、センシングデータ適用可能範囲（Δ）、および計測値（Ｓ０）によって構成される。
【００３８】
また、センシング対象位置（Ｓ＿ＰＯＳＩＴＩＯＮ）は、図３（Ｃ）に示すデータによって構成される。すなわち、センシング対象位置は、Ｘ座標（センシングエリアの中心位置の緯度（Ｘ））、Ｙ座標（センシングエリアの中心位置の経度（Ｙ））、Ｚ座標（センシングエリアの中心位置の高度（Ｚ））、およびＴ座標（センシングデータの取得日時（Ｔ））により構成される。
【００３９】
また、センシングデータ適用可能範囲（Δ）は、図３（Ｄ）に示すデータによって構成される。すなわち、センシングデータ適用可能範囲（Δ）は、Ｘ座標範囲ΔＸ、Ｙ座標範囲ΔＹ、Ｚ座標範囲ΔＺ、およびＴ座標範囲ΔＴによって構成される。Ｘ座標範囲ΔＸは、センシングエリアの中心位置の緯度（Ｘ）を基準にして、緯度方向に定めた範囲の大きさを示す。Ｙ座標範囲ΔＹは、センシングエリアの中心位置の経度（Ｙ）を基準にして、経度方向に定めた範囲の大きさを示す。Ｚ座標範囲ΔＺは、センシングエリアの中心位置の高度（Ｚ）を基準にして、高度方向に定めた範囲の大きさを示す。Ｔ座標範囲ΔＴは、センシングデータの取得日時（Ｔ）を基準にして、時間軸方向に定めた範囲の大きさを示す。
【００４０】
そして、計測値（Ｓ０）は、図３（Ｅ）に示すデータによって構成される。すなわち、計測値（Ｓ０）は、センシング種類（Ｓ１）、単位（Ｓ２）、精度（Ｓ３）によって構成される。センシング種類（Ｓ１）は、画像、通過人数、温度、湿度、照度等、センシングデータの種類を示す。単位（Ｓ２）は、センシングデータの単位（人、℃、％等）を示す。画像等、単位が無いセンシングデータについては、「無」になる。精度（Ｓ３）は、センシングデータの精度を示す。例えば、高、中、低の３段階で区別したレベルのいずれであるかを示す。
【００４１】
このセンシングデータ記憶データベース１６に対するセンシングデータの検索式は、図３（Ｆ）に示すように、センシング種類と、センシング対象位置である緯度Ｘ、経度Ｙ、高度Ｚ、および取得時間Ｔのそれぞれの範囲と、を指定する。
【００４２】
図４は、この情報管理装置の機能構成を示す概略のブロック図である。図４では、図１、および図２で示した構成については、同一の符合を付している。検索制御部３１、地図検索部３２、センシングデータ検索部３３、電子メール作成部３４、およびセンシングデータ登録部３５は、情報管理装置１の制御部１１が有する機能である。
【００４３】
また、図４に示す通信部１２ａ、１２ｂは、上述した通信部１２にかかる構成である。図４では、通信部１２ａが、情報提供装置２との通信を制御し、情報提供装置２から提供されるセンシングデータの受信や、提供者に対する電子メールの送信等を行う。通信部１２ｂが、情報利用装置３との通信を制御する。
【００４４】
検索制御部３１は、通信部１２ｂで受信した情報利用装置３からのセンシングデータの利用要求にかかる検索の制御や、検索結果に基づく送信データの作成処理等を行う。
【００４５】
地図検索部３２は、地図ＤＢ１３に記録されている地図データを検索する。地図検索部３２は、検索制御部３１からの指示にしたがって、地図ＤＢ１３を検索し、検索結果を検索制御部３１に返す。
【００４６】
センシングデータ検索部３３は、センシングデータ記録ＤＢ１６を検索する。センシングデータ検索部３３は、検索制御部３１からの指示にしたがって、センシングデータ記憶ＤＢ１６を検索し、検索結果を検索制御部３１に返す。
【００４７】
電子メール作成部３４は、提供者管理ＤＢ１４、および位置管理ＤＢ１５を参照して、電子メールを送信する提供者を抽出するとともに、その提供者の連絡先（電子メールアドレス）を取得する。また、抽出した提供者の連絡先を宛先とした電子メールを作成する。電子メールの本文は、定型文の指定された箇所に、指定されたキーワードを入れて作成する。ここで作成された電子メールは、通信部１２ａから送信される。電子メール作成部３４が、この発明で言う抽出部を有する。
【００４８】
センシングデータ登録部３５は、情報提供装置２から提供されたセンシングデータをセンシングデータ記憶ＤＢ１６に登録するとともに、このセンシングデータにかかる位置管理情報を位置管理ＤＢ１５に登録する。
【００４９】
次に、この情報管理装置１の動作について説明する。
【００５０】
図５は、情報提供装置から提供されたセンシングデータの受信処理を示すフローチャートである。情報管理装置１は、ネットワーク５を介して接続された情報提供装置２から送信されてきたセンシングデータ（情報提供装置２から提供されたセンシングデータ）を通信部１２ａで受信する。情報提供装置２は、上述したように、提供するセンシングデータとともに、自装置のＩＤ、センシングデータの種類（画像、通過人数、温度、湿度、照度等）、取得場所、取得日時等を送信している。
【００５１】
情報管理装置１は、通信部１２ａで情報提供装置２から送信されてきた情報を受信すると（ｓ１）、センシングデータ登録部３５が、このセンシングデータとともに送信されてきた装置ＩＤ、センシングデータの種類、取得場所、取得日時等を読み出す（ｓ２）。センシングデータ登録部３５は、今回受信したセンシングデータ、その種類、取得場所、取得日時、精度で、図３（Ａ）〜（Ｅ）に示したデータ構造のデータを作成し、これをセンシングデータ記憶ＤＢ１６に記憶させる（ｓ３）。
【００５２】
また、センシングデータ登録部３５は、センシングデータの取得場所、および取得日時を対応付けた位置管理情報を生成し、位置管理ＤＢ１５に記憶させ（ｓ４）、本処理を終了する。
【００５３】
ｓ３、ｓ４にかかる処理の順番については、逆であってもよい。
【００５４】
この受信処理により、情報提供装置２から提供されたセンシングデータがセンシングデータ記憶ＤＢ１６に記憶されるとともに、情報提供装置２毎に、その情報提供装置２からのセンシングデータの提供にかかる履歴が位置管理ＤＢ１５に記憶される。したがって、位置管理ＤＢ１５を検索することにより、センシングデータを提供した直後であれば、そのセンシングデータを提供した情報提供装置２が携帯端末であっても、その位置が推定できる。また、提供者がセンシングデータを取得する時間帯や行動範囲も推定できる。
【００５５】
次に、情報利用装置３からのセンシングデータの利用要求に応じて、センシングデータを提供（送信）する処理について説明する。図６、および図７は、情報利用装置に対してセンシングデータを提供する提供処理を示すフローチャートである。
【００５６】
センシングデータを利用する利用者は、情報利用装置３を操作して、情報管理装置１にアクセスする。利用者は、まず利用するセンシングデータの地域を絞り込むための検索ワードを情報管理装置１に送信する。例えば、「Ａ駅」、「○○公園」等、その地域に存在する施設等の名前を検索ワードとして情報管理装置１に送信する。
【００５７】
情報管理装置１は、通信部１２ｂにおいて、検索ワードを受信すると（ｓ１１）、この検索ワードが検索制御部３１を介して地図検索部３２に送られる。このとき、検索制御部３１は、地図検索部３２に対して地図ＤＢ１３の検索を指示する。地図検索部３２は、検索ワードで地図ＤＢ１３を検索し、該当する地域の地図データを読み出し、これを検索結果として検索制御部３１に返す（ｓ１２）。検索制御部３１は、地図ＤＢ１３から読み出された地図データに基づく地図画像を含む、センシングデータの取得条件（取得場所、および取得日時）指定画面を通信部１２ｂから情報利用装置３に返信する（ｓ１３）。
【００５８】
図８は、情報利用装置におけるセンシングデータの取得条件指定画面の表示例である。このセンシングデータの取得条件指定画面には、検索ワード表示欄４１、検索ボタン４２、設定ボタン４３、取得日時選択欄４４、および地域選択欄４５が含まれている。
【００５９】
検索ワード表示欄４１には、利用者が入力した検索ワード（ここでは、「○○公園」）が表示される。
【００６０】
取得日時選択欄４４には、利用を希望するセンシングデータの取得日時の基準にする日時を入力する基準日時入力欄４４ａ、この基準日時よりも以前の日時を指定する時間幅指定カーソル４４ｂ、および、この基準日時よりも以降の日時を指定する時間幅指定カーソル４４ｃが表示される。基準日時入力欄４４ａは、過去の日時に限らず、現在の日時や、さらには未来の日時を入力してもよい。また、時間幅指定カーソル４４ｂ、４４ｃは、利用を希望するセンシングデータの取得日時の時間幅を、基準日時入力欄４４ａに入力した日時を挟んで選択するカーソルである。この時間幅指定カーソル４４ｂ、４４ｃに挟まれた時間幅が、利用を希望するセンシングデータの取得日時の時間幅である。時間幅指定カーソル４４ｂが指定する日時がこの発明で言う起点日時に相当し、時間幅指定カーソル４４ｃが指定する日時がこの発明で言う終点日時に相当する。
【００６１】
地域選択欄４５には、利用者が入力した検索ワードによって検索された地域の地図が表示される。図８の地域選択欄４５に破線で示す円４５ａは、利用者によって選択された、利用を希望するセンシングデータが取得された場所の範囲である。すなわち、利用者は、地域選択欄４５に表示されている地図上で、利用を希望するセンシングデータが取得された場所の範囲を指定することができる。
【００６２】
設定ボタン４３は、上記の円４５ａを設定するときに操作するボタンであり、このボタンの操作により、利用を希望するセンシングデータが取得された場所の選択が行える。
【００６３】
検索ボタン４２は、利用を希望するセンシングデータの取得日時、および地域の入力が完了したときに操作するボタンである。情報利用装置３は、図８に示すセンシングデータの取得条件指定画面において、利用者が利用を希望するセンシングデータの取得日時、および地域を入力し、検索ボタンを操作すると、選択されたセンシングデータの取得日時の時間幅、および地域の範囲を情報管理装置１に送信する。時間幅は、基準日時入力欄４４ａに入力された日時、カーソル４４ｂが示す日時、およびカーソル４４ｃが示す日時である。地域は、円４５ａの中心の緯度、経度、高度、および円の半径（地域の大きさ）である。
【００６４】
また、ここでは説明を省略したが、利用者は、利用するセンシングデータの種類も入力しており、情報利用装置３は、入力されたセンシングデータの種類も送信している。
【００６５】
情報管理装置１は、通信部１２ｂにおいて、情報利用装置３からセンシングデータの取得条件（取得日時の時間幅、取得場所の地域、センシングデータの種類）を情報利用装置３から受信すると（ｓ１４）、この取得条件が検索制御部３１を介してセンシングデータ検索部３３に送られる。このとき、検索制御部３１は、センシングデータ検索部３３に対してセンシングデータ記憶ＤＢ１６の検索を指示する。センシングデータ検索部３３は、検索制御部３１からの指示にしたがって、センシングデータ記憶ＤＢ１６を検索し、取得条件に該当するセンシングデータを抽出する（ｓ１５）。ｓ１５では、センシングデータ検索部３３は、取得条件に基づき、図３（Ｆ）に示した検索式を作成し、該当するセンシングデータを検索する。また、ｓ１５では、該当するセンシングデータが複数検出されたときには、これら複数のセンシングデータを検索結果として抽出し、これを検索制御部３１に通知する。
【００６６】
検索制御部３１は、ｓ１５で該当するセンシングデータが抽出できれば、図９に示す候補選択画面を表示させる画面表示データを作成し、通信部１２ｂから情報利用装置３に送信する（ｓ１６、１７）。この候補選択画面は、候補表示欄５１、および地図表示欄５２が含まれている。候補表示欄５１には、ｓ１５の検索で抽出されたセンシングデータの種類が時系列に並べて表示される。地図表示欄５２には、地図上に、ｓ１５の検索で抽出されたセンシングデータの取得位置が表示される。候補表示欄５１に種類が表示されたセンシングデータと、地図表示欄５２に取得位置が表示されたセンシングデータとは、図示する符合（＊）によって対応付けられている。
【００６７】
したがって、利用者は、利用できるセンシングデータ毎に、その種類と、取得された場所とが視覚的に判断できる。利用者は、この候補選択画面において、実際に利用するセンシングデータを選択する。情報利用装置３は、利用者がセンシングデータを選択すると、選択されたセンシングデータの識別番号ＩＤを含むダウンロード要求を情報管理装置１に送信する。
【００６８】
情報管理装置１は、センシングデータのダウンロード要求を通信部１２ｂで受信すると、指定されている識別番号ＩＤのセンシングデータを情報利用装置３に送信し（ｓ１９）、本処理を終了する。
【００６９】
図１０は、情報利用装置におけるセンシングデータの表示画面例を示す図である。このセンシングデータの表示画面では、センシングデータの属性を表示する属性表示欄６１、および、センシングデータを表示するセンシングデータ表示欄６２で構成される。属性表示欄６１は、センシングデータが取得された場所、時刻（日時）、このセンシングデータを取得した情報提供装置２の名称等が表示される。また、図１０では、その種類が画像であるセンシングデータをセンシングデータ表示欄６２に示している。
【００７０】
このように、センシングデータを利用する利用者は、取得された場所、および取得された日時で、利用するセンシングデータの指定が行える。
【００７１】
また、検索制御部３１は、ｓ１５におけるセンシングデータ記憶ＤＢ１６の検索で該当するセンシングデータが抽出できなかったときには、今回の取得条件において示される取得日時の範囲全体が、現在よりも過去の時間帯であるかどうかを判定する（ｓ２０）。検索制御部３１は、ｓ２０で今回の取得条件において示される取得日時の範囲全体が、現在よりも過去の時間帯であると判定すると、利用できるセンシングデータがないことを情報利用装置３に通知し（ｓ２１）、本処理を終了する。
【００７２】
また、検索制御部３１は、今回指定された取得日時の範囲に、現在日時が含まれているかどうかを判定する（ｓ２２）。逆にいうと、今回指定された取得日時の範囲全体が、未来の時間帯であるかどうかを判定している。
【００７３】
今回指定された取得日時の範囲に、現在日時が含まれていれば、現時点で取得したセンシングデータも利用者が利用を希望するセンシングデータである。検索制御部３１は、電子メール作成部３４に対して、センシングデータの取得範囲、およびセンシングデータの種類を通知し、今回の取得条件に合致するセンシングデータを取得できる可能性が高い情報提供装置２の提供者に対して、センシングデータの提供を要求する電子メールの作成、および送信を指示する。
【００７４】
電子メール作成部３４は、この指示にしたがい、ｓ２３で、位置管理ＤＢ１５を用いて、
（１）取得場所が固定である情報提供装置２であって、その取得場所、および種類が今回の取得条件に合致する情報提供装置２を抽出し、その情報提供装置２の提供者の連絡先を提供者管理ＤＢ１４から抽出する。
【００７５】
（２）取得場所が固定でない情報提供装置２（携帯端末）であって、最近数十分間の間に、今回の取得条件にかかる取得場所の周辺で、今回の取得条件に合致する種類のセンシングデータを提供した情報提供装置２の提供者の連絡先を提供者管理ＤＢ１４から抽出する。
【００７６】
（３）取得場所が固定でない情報提供装置２（携帯端末）であって、今回の取得条件にかかる取得場所を行動範囲とし、今回の取得条件に合致する種類のセンシングデータを提供している情報提供装置２の提供者の連絡先を提供者管理ＤＢ１４から抽出する。
【００７７】
電子メール作成部３４は、上記（１）〜（３）で抽出した各提供者の連絡先（電子メールアドレス）を宛先にし、「ただいまセンシングデータの利用を希望している利用者がいます。至急、センシングデータの提供をお願いします。」等の定型文に、今回の取得条件を付記した文面の電子メールを作成し、これを通信部１２ａから送信する（ｓ２４）。
【００７８】
また、検索制御部３１は、通信部１２ｂから、センシングデータの取得中であることを通知する画面を、情報利用装置３に送信する（ｓ２５）。
【００７９】
情報管理装置１は、一定時間経過するか、今回の取得条件に合致するセンシングデータを一定件数受信するのを待つ（ｓ２６、ｓ２７）。
【００８０】
なお、この間において通信部１２ａで受信したセンシングデータについては、図５に示した処理で、センシングデータ記憶ＤＢ１６に記憶される。
【００８１】
情報管理装置１は、今回の取得条件に合致するセンシングデータを一件も受信することなく一定時間経過すると、利用できるセンシングデータがないことを情報利用装置３に通知し（ｓ２６→ｓ２８→２１）、本処理を終了する。
【００８２】
また、情報管理装置１は、今回の取得条件に合致するセンシングデータを一件以上受信すると、今回受信したセンシングデータを候補とし、上述したｓ１７以降の処理を行う。
【００８３】
また、情報管理装置１は、ｓ２２で今回指定された今回指定された取得日時の範囲全体が、未来の時間帯であれば、これは、利用者がセンシングデータの利用を予約していると推定される。
【００８４】
検索制御部３１は、今回の取得条件に合致するセンシングデータを取得できる可能性が高い情報提供装置２の提供者に対して、センシングデータの提供を要求する電子メールの作成、および送信を指示する。
【００８５】
電子メール作成部３４は、この指示にしたがい、ｓ２９で、位置管理ＤＢ１５を用いて、
（１）取得場所が固定である情報提供装置２であって、その取得場所、および種類が今回の取得条件に合致する情報提供装置２を抽出し、その情報提供装置２の提供者の連絡先を提供者管理ＤＢ１４から抽出する。
【００８６】
（２）取得場所が固定でない情報提供装置２（携帯端末）であって、今回の取得条件にかかる取得場所を行動範囲とし、今回の取得条件に合致する種類のセンシングデータを提供している情報提供装置２の提供者の連絡先を提供者管理ＤＢ１４から抽出する。
【００８７】
これは、上記ｓ２３における（１）と（３）である。
【００８８】
電子メール作成部３４は、上記（１）、（２）で抽出した各提供者の連絡先（電子メールアドレス）を宛先にし、「センシングデータの利用を予約した利用者がいます。センシングデータの提供をお願いします。」等の定型文に、今回の取得条件を付記した文面の電子メールを作成し、これを通信部１２ａから送信する（ｓ３０）。
【００８９】
これにより、センシングデータの利用予約を行った利用者が、取得日時が経過した後に、再度情報管理装置１にアクセスしてくると、この利用者にセンシングデータを提供することができる。
【００９０】
情報管理装置１は、情報提供装置２に対してセンシングデータの利用予約が完了したことを通知し（ｓ３１）、本処理を終了する。
【００９１】
このように、利用者は、センシングデータの利用予約が行える。
【００９２】
また、情報利用装置３におけるセンシングデータの候補選択画面は、図９にかえて、図１１に示す画面としてもよい。図１１は、上述の地図表示欄５２にかえて、センシングデータの取得時間と取得場所からの距離が視覚的に判断できるグラフ表示欄５３とした例である。この表示では、指定日時を基準とする時間と、取得場所の中心からの距離との２次元表示により、取得条件に合致するセンシングデータを示している。
【００９３】
また、図１２に示すように、地図表示欄５２、およびグラフ表示欄５３をともに表示するセンシングデータの候補選択画面としてもよい。
【符号の説明】
【００９４】
１…情報管理装置
２…情報提供装置
３…情報利用装置
１１…制御部
１２（１２ａ、１２ｂ）…通信部
１３…地図データベース（地図ＤＢ）
１４…提供者管理データベース（提供者管理ＤＢ）
１５…位置管理データベース（位置管理ＤＢ）
１６…センシングデータ記憶データベース（センシングデータＤＢ）
３１…検索制御部
３２…地図検索部
３３…センシングデータ検索部
３４…電子メール作成部
３５…センシングデータ登録部
【図１】
2013171482.tif 000003
【図２】
2013171482.tif 000004
【図３】
2013171482.tif 000005
【図４】
2013171482.tif 000006
【図５】
2013171482.tif 000007
【図６】
2013171482.tif 000008
【図７】
2013171482.tif 000009
【図１０】
2013171482.tif 000010
【図１１】
2013171482.tif 000011
【図８】
2013171482.tif 000012
【図９】
2013171482.tif 000013
【図１２】
2013171482.tif 000014